(57)【要約】      （修正有）【課題】ソーラパネル固定装置を提供する。【解決手段】ソーラパネルを波板に固定することに用い、第１ソケット体１０、第２ソケット体２０、横梁３０及び少なくとも１つの第１挟持部材４０を含み、第１ソケット体１０が第２ソケット体２０上方に設置され、且つ第１ロック部材を介して第１ソケット体１０と第２ソケット体２０を波板上に固定する。横梁３０は、溝を開設した横梁本体及び溝中に設置される複数の滑動部材を含み、第１ソケット体１０の２つの側板の間に結合される。第１挟持部材４０は、横梁本体上方に固定され、且つ挟持部を介し、ソーラパネルを挟持する。第１挟持部材４０は、滑動部材、溝、側板に開設する長孔及び第２ソケット体の翼板等の特殊な設計を利用し、ソーラパネルを緊密に固定させるだけでなく、使用の過程において、更に便利であり、各種類型の波板に広く適用できる。【選択図】図１
0003187681.tif 000002
【実用新案登録請求の範囲】
【請求項１】
ソーラパネルを波板に固定することに用いるソーラパネル固定装置であって、
第１底板及び２つの側板を含み、該第１底板に第１貫通孔を設け、第１ロック部材を該波板に固定させることに用い、該２つの側板は、それぞれ少なくとも１つの長孔を設ける第１ソケット体と、
該第１ソケット板下方に位置し、第２底板及び２つの翼板を含み、該第２底板は、該第１貫通孔と互いに対応する第２貫通孔を設け、該第１ロック部材を該波板に固定させることに用い、該２つの翼板は、対称を呈し、それぞれ一端が該第２底板の相対する両側に接続し、他端が該波板リッジの両側に係止する第２ソケット板と、
該第１ソケット体に結合することに用いる横梁であり、横梁本体と、複数の滑動部材を含み、
該横梁本体が、矩形ストリップ体を呈し、該２つの側板の間に設置され、該横梁本体の各側面は、該軸方向に沿って少なくとも１つの溝を凹設し、各溝両側の上端にそれぞれ係止部を凸設し、各係止部は、上端の該溝開口位置に接近する箇所に切欠きを設、
該複数の滑動部材が、それぞれ該溝中に設置され、該溝方向に沿って滑動でき、該係止部を受けて該溝中に係止し、該滑動部材表面に凸リブを凸設し、該２つの係止部の間に位置し、該凸リブ表面及び該滑動部材底面にロック孔を貫通設置し、第２ロック部材を介して該長孔に固定させることができる横梁と、
該横梁本体上方に設置され、第３貫通孔を設け、第３ロック部材を介して、そのうち１つの活動部材の該ロック孔に固定でき、一側が上向きに挟持部を延伸し、ソーラパネルを挟持することに用いる少なくとも１つの第１挟持部材と、
を含むソーラパネル固定装置。
【請求項２】
前記各側板及び該第１底板の接続箇所が外向きに延伸板を延伸し、該第２底台の代替えとすることに用い、且つ各延伸板の分離端は、該波板のリッジの両側に係止することに用いる請求項１に記載のソーラパネル固定装置。
【請求項３】
前記凸衛部の厚さが係止部の厚さより小さく、該２つの側板及び対応する溝の間に隙間を形成する請求項１又は請求項２に記載のソーラパネル固定装置。
【請求項４】
更に、少なくとも１つの第２挟持部材を含み、それは、該横梁本体上方に位置し、第４貫通孔を設け、第４ロック部材を介して、そのうち１つの滑動部材の該ロック孔に固定し、且つ相対する両側にそれぞれ上向きに挟持部を延伸し、ソーラパネルを挟持することに用いる請求項３に記載のソーラパネル固定装置。
【請求項５】
前記滑動部材の該凸リブ両側の表面に滑り止め部を更に設ける請求項４に記載のソーラパネル固定装置。
【考案の詳細な説明】
【技術分野】
【０００１】
本考案は、ソーラパネルを固定することに用いる固定装置に関し、特に、溝を利用し、滑動部材に組み合わせ、便利に操作でき、各種波板構造に広く適用可能なソーラパネル固定装置に関する。
【背景技術】
【０００２】
ここ１０年において、地球環境が日増しに悪化することを回避する為、省エネルギー及び環境保護は、徐々に全世界が関心を寄せる焦点となっているので、太陽エネルギーの発展及び応用は、主要な課題の１つとなっている。早期においては、太陽エネルギー設備の製造コストが崇高であることにより、多くの使用者が負担できなかったが、材料の開発及び技術の進歩に伴い、太陽エネルギー設備は、徐々に社会大衆で使用されるようになり、グリーンエネルギー、グリーン建築は、徐々に日常生活中に浸透している。
【０００３】
ソーラパネルを屋根に設ける時、例えば、中華民国新型第Ｍ４１１４５０号の特許「ソーラパネル固定装置改良構造」は、支持構造を利用し、波板のリッジ箇所に貼合し、更に、該支持構造の支持アームを利用し、組み立て横梁に組み付け、該組み立て横梁が挟持ブロックを結合し、ソーラパネルを、挟持ブロックを介し、横梁上に固定させることができる。該案において、該組み立て横梁上に溝を開設し、これにより、ソーラパネルの設置効率を向上させるが、該案の第１又は第２螺合アセンブリを固定する時、ただ片辺からのみ固定できるので、ボルトを（第１ボルト又は第２ボルト）を螺合物体及びナット（第１ナット又は第２ナット）に貫通設置し、併せて溝中に滑り込ませ、滑り込ませる過程において、往々にしてナットが溝中に脱落する問題を生じ、工程の進行を遅延させる。
【０００４】
また、該案の支持アームは、一辺側面方向上から延伸し、該組み立て横梁に結合するので、重心の偏移を招いて、傾き倒れ易く、且つ波板が往々にして環境又は人為的要因でリッジ箇所の高さに差異を発生し、この案の支持構造の構造により、ソーラパネルを設置する過程において、組み立て横梁及び支持構造を結合させる時に統一した高さ又は屋根との平行な角度を容易に維持することができず、該支持構造を絶えず調整するか設置し直ししなければならず、施工の過程において、極めて不便である。また、波板のリッジは、多種の異なる形態及び形状を有し、この案の支持構造の構造をその他の形態又は造形の波板に適用することができず、その他の類型の波板に取り付ける場合、各波板リッジの規格に基づき、適合した支持構造を製造する必要があり、生産のコストを大幅に増加させる。
【先行技術文献】
【特許文献】
【０００５】
【特許文献１】特開平７−２６６８３号公報
【考案の概要】
【考案が解決しようとする課題】
【０００６】
上記多くの問題に鑑み、本考案者は、ソーラパネル設置において長年の実務経験を累積し、ソーラパネル固定装置に対し、改良を行い、ようやく本考案を完成している。
【０００７】
本考案の目的は、２つの側板を利用し、支持アームとして利用し、受ける重量を２つの側板に均等に分散し、構造全体を更に安定させ、更に、該２つの側板に開設した長孔を李好、ソーラパネルを設置する時、施工環境の実際の状況に応じて、固定する高さを自動調整し、横梁本体に屋根と平行な同一の高さを維持させ、後続のソーラパネルの安置に便利にすることができ、接地過程を簡便にするだけでなく、且つ各ソーラパネルを更に緊密に安定固定させることである。
【０００８】
また、本考案は、第２ソケット体の２つの翼板の特殊な設計を利用し、該第１ソケット体及び該第２ソケット体を結合させた後、多種の類型の波板に適合でき、新たに型を作り製造する必要がなく、費用な生産コストを大幅に減少させる。
【０００９】
本考案のもう１つの目的は、横梁本体の溝及び滑動部材の組み合わせを利用し、該滑動部材を溝中で更に円滑に滑動可能にし、固定時に更に便利にし、且つ開設した切欠きを介して、固定時に隙間を形成でき、側板又は第２挟持部材に押圧を受けさせて該隙間に押し込ませ、緊密固定の効果を達成することである。
【課題を解決するための手段】
【００１０】
上記の目的を達成する為、本考案のソーラパネル固定装置は、ソーラパネルを波板に固定することに用い、第１ソケット体、第２ソケット体、横梁及び少なくとも１つの第１挟持部材を含む。該第１ソケット体は、第１底板及び２つの側板を含み、該第１底板に第１貫通孔を設け、第１ロック部材を該波板に固定させることに用い、該２つの側板は、それぞれ少なくとも１つの長孔を設ける。該第２ソケット板は、該第１ソケット板下方に位置し、第２底板及び２つの翼板を含み、該第２底板は、該第１貫通孔と互いに対応する第２貫通孔を設け、該第１ロック部材を該波板に固定させることに用い、該２つの翼板は、対称を呈し、それぞれ一端が該第２底板の相対する両側に接続し、他端が該波板リッジの両側に係止する。
【００１１】
該横梁は、該第１ソケット体に結合することに用い、横梁本体及び複数の滑動部材を含み、該横梁本体は、矩形ストリップ体を呈し、該２つの側板の間に設置され、該横梁本体の各側面は、該軸方向に沿って少なくとも１つの溝を凹設し、各溝両側の上端にそれぞれ係止部を凸設し、各係止部は、上端の該溝開口位置に接近する箇所に切欠きを設ける。該滑動部材は、それぞれ該溝中に設置され、該溝方向に沿って滑動でき、該係止部を受けて該溝中に係止し、該滑動部材表面に凸リブを凸設し、該２つの係止部の間に位置し、該凸リブ表面及び該滑動部材底面にロック孔を貫通設置し、第２ロック部材を該長孔に固定させることに用いる。
【００１２】
該第１挟持部材は、該横梁本体上方に設置され、第３貫通孔を設け、第３ロック部材を介して、そのうち１つの活動部材の該ロック孔に固定でき、一側が上向きに挟持部を延伸し、ソーラパネルを挟持することに用いる。
【００１３】
上記構造により、そのうち、該凸リブの厚さは、係止部の厚さより小さく、該２つの側板とそれぞれ対応する溝との間に隙間を形成させ、更に、該凸リブの厚さは、該係止部に更に等しくなるよう該切欠きの厚さを減少させることができ、これにより、該２つの側板の固定時に更に該隙間に押し込み、緊密固定の効果を達成することができる。
【００１４】
上記構造に基づき、そのうち、各側板及び該第１側板の接続箇所に嵌合部を外向きに延伸し、該第２ソケット体を嵌合することに用いる。
【００１５】
上記構造に基づき、本考案は、更に少なくとも１つの第２挟持部材を含み、それは、該横梁本体上方に位置し、第４貫通孔を設け、第４ロック部材を介して、そのうち１つの滑動部材の該ロック孔に固定し、且つ相対する両側にそれぞれ上向きに挟持部を延伸し、ソーラパネルを挟持することに用いる。
【００１６】
上記構造に基づき、そのうち、該滑動部材の該凸リブ両側の表面に滑り止め部を更に設け、固定時に更に安定固定させることができる。
【００１７】
上記構造に基づき、そのうち、該２つの翼板は、それぞれ該第２底板と挟み角を形成し、該挟み角は、９０度より大きな鈍角である。
【００１８】
上記構造に基づき、そのうち、該挟み角が更には１３５度である。
【００１９】
上記構造に基づき、そのうち、該第１ロック部材、該第２ロック部材、該第３ロック部材及び該第４ロック部材がボルトであることができる。
【００２０】
また、本考案の構造に基づき、更に、該第２ソケット体の構造を該第１ソケット体に結合することができ、一体に成形された支持ソケットを形成し、そのうち、各側板及び該第１底板接続箇所は、外向きに延伸板を延伸し、該第２ソケット体の代替えとすることに用い、且つ各延伸板の分離端は、該波板のリッジの両側を係止することに用い、これにより、更に、材料のコストを低減でき、また、該２つの延伸板がそれぞれ該第１底板と挟み角を形成し、該挟み角は、９０度より大きな鈍角であり、本考案において、該挟み角が更に好ましくは１３５度である。
【考案の効果】
【００２１】
本考案のソーラパネル固定装置は、ソーラパネルを波板に固定することに用い、第１ソケット体、第２ソケット体、横梁及び少なくとも１つの第１挟持部材を含み、第１ソケット体が第２ソケット体上方に設置され、且つ第１ロック部材を介して第１ソケット体と第２ソケット体を波板上に固定し、横梁は、溝を開設した横梁本体及び溝中に設置される複数の滑動部材を含み、第１ソケット体の２つの側板の間に結合され、第１挟持部材は、横梁本体上方に固定され、且つ挟持部を介し、ソーラパネルを挟持し、第１挟持部材は、横梁本体上方に固定され、且つ挟持部を介してソーラパネルを挟持し、滑動部材、溝、側板に開設する長孔及び第２ソケット体の翼板等の特殊な設計を利用し、本考案のソーラパネル固定装置にソーラパネルを緊密に固定させるだけでなく、使用の過程において、更に便利であり、各種類型の波板に広く適用できる。
【図面の簡単な説明】
【００２２】
【図１】本考案の実施例を結合した外観立体図である。
【図２】本考案の実施例の各部材の分解図である。
【図３】本考案の実施例の第１ソケット体及び第２ソケット体の細部分解図である。
【図４】本考案の実施例の第１ソケット体及び第２ソケット体が波板の説明図である。
【図５】本考案の実施例の第１ソケット体及び第２ソケット体が波板の側面説明図である。
【図６】本考案の実施例の側板及び溝の結合の側面説明図である。
【図７】本考案の実施例の側板及び溝の締付前の側面説明図である。
【図８】本考案の実施例の側板及び溝の締付後の側面説明図である。
【図９】本考案のもう１つの実施例の第１ソケット体の延伸片を設けた外観図である。
【図１０】本考案のもう１つの実施例の波板に結合した側面説明図一である。
【図１１】本考案のもう１つの実施例の波板に結合した側面説明図二である。
【図１２】本考案のもう１つの実施例の波板に結合した側面説明図三である。
【考案を実施するための形態】
【００２３】
以下に本考案を更に分かり易くする為、最適な実施例を提供し、図面、符号を合わせ、詳細を説明する。
【００２４】
図１〜図４を参照し、図から分かるように、本考案の実施例のソーラパネル固定装置１は、第１ソケット体１０、第２ソケット体２０、横梁３０、第１挟持部材４０及び第２挟持部材５０を含む。
【００２５】
該第１ソケット体１０は、第１底板１１及び２つの側板１２を含み、該第１底板１１に第１貫通孔１１１を設け、第１ロック部材６１に波板Ａをロックさせることに用い、該２つの側板１２は、それぞれ少なくとも１つの長孔１２１を設ける。該第２ソケット体２０は、該第１ソケット板１０下方に位置し、第２底板２１及び２つの翼板２２を含み、該第２底板２１は、該第１貫通孔１１１と互いに対応する第２貫通孔２１１を設け、該第１ロック部材６１を該波板Ａに固定させることに用い、該２つの翼板２２は、対称を呈し、それぞれ一端が該第２底板２１の相対する両側に接続し、他端が該波板ＡのリッジＢの両側に係止する。
【００２６】
図６を合わせて参照し、該横梁３０は、該第１ソケット体１０に結合することに用い、横梁本体３１及び複数の滑動部材３２を含み、該横梁本体３１は、矩形ストリップ体を呈し、該第１ソケット体１０の該２つの側板１２の間に設置され、該横梁本体３１の各側面は、該軸方向に沿って少なくとも１つの溝３１１を凹設し、各溝３１１両側の上端にそれぞれ係止部３１３を凸設し、各係止部３１３は、上端の該溝３１１の開口３１２の位置に接近する箇所に切欠き３１４を設ける。該滑動部材３２は、それぞれ該溝３１１中に設置され、該溝３１１方向に沿って滑動でき、該係止部３１３を受けて該溝３１１中に係止し、該滑動部材３２表面に凸リブ３２１を凸設し、該２つの係止部３１３の間に位置し、該凸リブ３２１表面及び該滑動部材３２底面にロック孔３２２を貫通設置し、第２ロック部材６２を該長孔１２１に固定させることに用いる。
【００２７】
該第１挟持部材４０及び該第２挟持部材５０は、該横梁本体３１上方に位置し、該第１挟持部材４０は、第３貫通孔４１を設け、第３ロック部材６３を介して、そのうち１つの滑り止め部材３２の該ロック孔３２２に固定でき、一側が上向きに挟持部４２を延伸し、ソーラパネルを挟持することに用い、該第２挟持部材５０は、第４貫通孔５１を設け、第４ロック部材６４を介して、そのうち１つの滑動部材３２の該ロック孔３２２に固定でき、相対する両側がそれぞれ上向きに挟持部５２を延伸し、ソーラパネルを挟持することに用いる。
【００２８】
図３〜図５を併せて参照し、図から分かるように、該第１ソケット１０の各側板１２及び該第１底板１１の接続箇所に外向きに嵌合部１３を延伸し、該第２ソケット体２０を嵌合することに用い、該第２ソケット体２０は、本考案者の長年の実務経験を累積して、波板Ａの多種の異なる類型のリッジＢ構造の企画に対し統計及び設計を行い、該第２ソケット２０を多数の波板Ｂの構造に広く適用できるようにし、該第２翼板２２は、それぞれ該第２底板２１と挟み角Ｄを形成し、該挟み角Ｄは、９０度より大きな鈍角であり、本考案者の統計を経て、該挟み角Ｄは、最も好ましくは、１３５度であることができる。これにより、該第２ソケット体２０の統一した規格を利用し、生産コストを効率的に低減するだけでなく、施工時に波板Ａの変形が発生する影響を回避することができ、使用上に更に便利である。
【００２９】
図６を参照し、それは、本考案の実施例の該横梁３０及び該２つの側板１２が結合した側面説明図であり、図から分かるように、該凸部３２１の厚さは、係止部３１３の厚さより小さく、該２つの側板１２を該溝３１１及び該凸リブ３２１との間に隙間Ｅを形成でき、本考案の実施例において、該凸リブ３２１の厚さが該係止部３１３に等しくなるよう、該切欠き３１４の厚さを減少させる。図７及び図８を参照し、それは、それぞれ本考案の実施例の側板１２及び溝３１１を緊密に固定する前後の側面説明図であり、図７から分かるように、該側板１２は、該第２ロック部材６２を介して、該横梁本体３１に固定する時、該側板１２及び該切欠き３１４、該凸リブ３２１の間に隙間Ｅを形成し、更に、該第２ロック部材６２を締める時、図８に示すように、該側板１２が金属材質の靱性及び伸展性を利用し、該第２ロック部材６２の圧迫を受けて、徐々に該隙間Ｅ中に押し込まれ、この構造により、更に緊密固定の効果を達成でき、外部環境の要因により該第２ロック部材６２及び該滑動部材３２が緩んだとしても、押し込まれた該側板１２も構造全体の安定性を維持することができ、ソーラパネル固定装置１を更に、持久性、耐久性のあるものとし、ソーラパネルをより完全に支持し、緩んで損壊することを回避する。
【００３０】
本考案の実施例において、該滑動部材３２の該凸リブ３２１の両側の表面は、更に滑り止め部３２３を設け、固定時更に安定固定できるように、本考案の実施例の構造に基づき、該第１ロック部材６１、該第２ロック部材６２、該第３ロック部材６３及び該第４ロック部材６４は、ボルトであることができる。
【００３１】
また、本考案の実施例の構造に基づき、図９に示すように、更に、該第２ソケット体２０の構造を該第１ソケット体１０に結合することができ、一体に成形された支持ソケットを形成し、そのうち、各側板１２及び該第１底板１１接続箇所は、外向きに延伸板１４を延伸し、該第２ソケット体２０の代替えとすることに用い、且つ各延伸板１４の分離端は、該波板ＡのリッジＢの両側を係止することに用い、本考案者の設計に基づき、該２つの延伸板１４がそれぞれ該第１底板１１の形成する挟み角Ｄは、９０度より大きな鈍角であり、且つ該挟み角Ｄは、更に好ましくは１３５度である。市場の多数の波板Ａの構造を綜合的に見て、アスベストタイル、ガラスタイル等の他種の異なる類型の波板Ａであり、図１０〜図１２に示すように、本考案者の統計に基づき開設する挟み角Ｄは、各種類型の波板Ａに広く応用することができる。
【００３２】
本考案の実施例の実際の使用時、各第１ソケット体１０及び各第２ソケット体２０を波板Ａの適当な位置に設置し、第１ロック部材６１を介して、波板ＡのリッジＢ下方のＣ形梁上に固定し、横梁３０を該第１ソケット体１０上に結合し、この時、該第１ソケット体１０の該第２つの側板１２上に開設する該長孔１２１を利用し、該横梁３０を結合する時、該長孔１２１に固定する高さ位置を自由に調整でき、高さの違いにより該第１ソケット１０及び該第２ソケット２０を調整又は安置し直しする必要がなく、施工の過程で極めて簡便である。また、該２つの側板１２を利用し、ソーラパネルの重量を平均的に分散させ、支持ソケットが傾き倒れる期限を更に回避することができる。
【００３３】
また、該滑動部材３２を利用し、該溝３１１中で円滑に滑動でき、施工過程において、更に便利であり、適当な位置に簡単に固定を行うことができ、且つ切欠き３１４及び凸リブの設計を利用し、該２つの側板１２及び該第２挟持部材５０を固定する時、隙間Ｅを形成でき（図７参照）、緊密固定時に該２つの側板１２に押圧を受けて該隙間Ｅに押し込ませ（図８参照）、更に緊密に固定する効果を達成する。
【００３４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３５】
１  ソーラパネル固定装置
１０  第１ソケット体
１１  第１底板
１１１  第１貫通孔
１２  側板
１２１  長孔
１３  嵌合部
１４  延伸板
２０  第２ソケット体
２１  第２底板
２１１  第２貫通孔
２２  翼板
３０  横梁
３１  横梁本体
３１１  溝
３１２  開口
３１３  係止部
３１４  切欠き
３２  滑動部材
３２１  凸リブ
３２２  ロック孔
３２３  滑り止め部
４０  第１挟持部材
４１  第３貫通孔
４２  挟持部
５０  第２挟持部材
５１  第４貫通孔
５２  挟持部
６１  第１ロック部材
６２  第２ロック部材
６３  第３ロック部材
６４  第４ロック部材
Ａ  波板
Ｂ  リッジ
Ｄ  挟み角
Ｅ  隙間
【図１】
0003187681.tif 000003
【図２】
0003187681.tif 000004
【図３】
0003187681.tif 000005
【図４】
0003187681.tif 000006
【図５】
0003187681.tif 000007
【図６】
0003187681.tif 000008
【図７】
0003187681.tif 000009
【図８】
0003187681.tif 000010
【図９】
0003187681.tif 000011
【図１０】
0003187681.tif 000012
【図１１】
0003187681.tif 000013
【図１２】
0003187681.tif 000014
【手続補正書】
【提出日】平成25年10月3日(2013.10.3)
【手続補正１】
【補正対象書類名】実用新案登録請求の範囲
【補正対象項目名】請求項１
【補正方法】変更
【補正の内容】
【請求項１】
ソーラパネルを波板に固定することに用いるソーラパネル固定装置であって、
第１底板及び２つの側板を含み、該第１底板に第１貫通孔を設け、第１ロック部材を該波板に固定させることに用い、該２つの側板は、それぞれ少なくとも１つの長孔を設ける第１ソケット体と、
該第１ソケット体下方に位置し、第２底板及び２つの翼板を含み、該第２底板は、該第１貫通孔と互いに対応する第２貫通孔を設け、該第１ロック部材を該波板に固定させることに用い、該２つの翼板は、対称を呈し、それぞれ一端が該第２底板の相対する両側に接続し、他端が該波板リッジの両側に係止する第２ソケット体と、
該第１ソケット体に結合することに用いる横梁であり、横梁本体と、複数の滑動部材を含み、
該横梁本体が、矩形ストリップ体を呈し、該２つの側板の間に設置され、該横梁本体の各側面は、該軸方向に沿って少なくとも１つの溝を凹設し、各溝両側の上端にそれぞれ係止部を凸設し、各係止部は、上端の該溝開口位置に接近する箇所に切欠きを設、
該複数の滑動部材が、それぞれ該溝中に設置され、該溝方向に沿って滑動でき、該係止部を受けて該溝中に係止し、該滑動部材表面に凸リブを凸設し、該２つの係止部の間に位置し、該凸リブ表面及び該滑動部材底面にロック孔を貫通設置し、第２ロック部材を介して該長孔に固定させることができる横梁と、
該横梁本体上方に設置され、第３貫通孔を設け、第３ロック部材を介して、そのうち１つの活動部材の該ロック孔に固定でき、一側が上向きに挟持部を延伸し、ソーラパネルを挟持することに用いる少なくとも１つの第１挟持部材と、
を含むソーラパネル固定装置。
【手続補正２】
【補正対象書類名】実用新案登録請求の範囲
【補正対象項目名】請求項３
【補正方法】変更
【補正の内容】
【請求項３】
前記凸リブの厚さが係止部の厚さより小さく、該２つの側板及び対応する溝の間に隙間を形成する請求項１又は請求項２に記載のソーラパネル固定装置。